(57)【要約】  液体処理の使用のための血清ピペットは、先端部と、ピペットコントローラホルダに嵌合するよう構成された、少なくとも２つの部分を有する取り付け部であって、上記少なくとも２つの部分は実質的に円形の断面を持ち、上記取り付け部は、多孔性フィルタを含んでよい。また、ピペットは、目盛マークを示す不変容積を持つ管状シャフトを含んでよい。管状シャフトは、上記先端部と上記取り付け部とを接続してよい。上記少なくとも２つの部分の第１の部分および上記少なくとも２つの部分の第２の部分は、異なる直径を有してよく、上記第１の部分と上記第２の部分との間の距離は、１１±５度の角度を有するコーンに内接するように寸法設定されてよい。上記先端部、上記取り付け部および上記管状シャフトは、プラスチック樹脂で形成されてよい。
2018532575.tif 000002
【特許請求の範囲】
【請求項１】
先端部と、
ピペットコントローラホルダに嵌合する、少なくとも２つの部分を有する取り付け部であって、前記少なくとも２つの部分は実質的に円形の断面を持ち、前記取り付け部は多孔性フィルタを含む、取り付け部と、
目盛マークを示す不変容積を持つ管状シャフトと、を備え、
前記管状シャフトは、前記先端部と前記取り付け部とを接続し、前記少なくとも２つの部分の第１の部分および前記少なくとも２つの部分の第２の部分は、異なる直径を有し、前記第１の部分と前記第２の部分との間の距離は、１１±５度の角度を有するコーンに内接するように寸法設定され、前記先端部、前記取り付け部および前記管状シャフトは、プラスチック樹脂から形成される、液体処理の使用のための血清ピペット。
【請求項２】
前記少なくとも２つの部分は、直径が０．１２〜０．３６インチ（０．３０〜０．９１センチメートル）の範囲内である、請求項１に記載の血清ピペット。
【請求項３】
前記第１の部分は、０．１２〜０．２５インチ（０．３０〜０．６３センチメートル）の範囲内の直径を有する、請求項１に記載の血清ピペット。
【請求項４】
前記第２の部分は、０．２５〜０．３６インチ（０．６３〜０．９１センチメートル）の範囲内の直径を有する、請求項３に記載の血清ピペット。
【請求項５】
前記第１の部分は、０．２〜１．５インチ（０．５０〜３．８１センチメートル）の範囲内の長さを有する、請求項１に記載の血清ピペット。
【請求項６】
前記第２の部分は、少なくとも０．１２インチ（０．３０センチメートル）の長さを有する、請求項５に記載の血清ピペット。
【請求項７】
前記少なくとも２つの部分は、モールド成形ドラフト角度に適応する０．１〜５．０度のテーパを有する、請求項１に記載の血清ピペット。
【請求項８】
前記取り付け部は、前記管状シャフトに接合される、請求項１に記載の血清ピペット。
【請求項９】
前記プラスチック樹脂は、ポリスチレンである、請求項１に記載の血清ピペット。
【請求項１０】
前記第１の部分および前記第２の部分は、実質的に円柱状の段部である、請求項１に記載の血清ピペット。
【請求項１１】
先端部と、
ピペットコントローラホルダに嵌合する取り付け部であって、前記取り付け部は実質的に円形の断面を持つ２つの部分を有し、前記２つの部分は異なる直径を有し、前記２つの部分は０．１２〜０．３６インチ（０．３０〜０．９１センチメートル）の直径の範囲内で且つ０．１２〜１．５インチ（０．３０〜３．８センチメートル）の長さの範囲内である、取り付け部と、
前記先端部と前記取り付け部とを接続する管状シャフトであって、目盛マークを示す不変容積を有する、管状シャフトと、
前記取り付け部に挿入される多孔性フィルタと、を備え、
前記先端部、前記取り付け部および前記管状シャフトは、プラスチック樹脂で形成される、液体処理の使用のための血清ピペット。
【請求項１２】
前記２つの部分の間の距離は、１１±５度の角度を有するコーンに内接するように寸法設定される、請求項１１に記載の血清ピペット。
【請求項１３】
前記２つの部分は、円錐状シールの２または２より多いシーリングリングに嵌合するようにサイズ設定される、請求項１１に記載の血清ピペット。
【請求項１４】
前記２つの部分は、前記血清ピペットの側部の偏向を低減するようにサイズ設定される、請求項１１に記載の血清ピペット。
【請求項１５】
前記血清ピペットは、３．０重量ポンド（１．３６重量キログラム）未満の挿入力で前記ピペットコントローラホルダに挿入され、１°以下の偏角を達成する、請求項１１に記載の血清ピペット。
【請求項１６】
プラスチック樹脂を含む先端部と、
プラスチック樹脂を含む取り付け部と、
目盛マークを示す不変容積を持つ、プラスチック樹脂を含む管状シャフトであって、前記先端部と前記取り付け部とを接続する、管状シャフトと、を備え、
前記取り付け部は、さらに、
０．１２〜０．２５インチ（０．３０〜０．６３センチメートル）の範囲内の直径および０．２０〜１．５インチ（０．５０〜３．８１センチメートル）の範囲内の長さを有する第１の部分と、
０．２５インチ〜０．３６インチ（０．６３〜０．９１センチメートル）の範囲内の直径および少なくとも０．１２インチ（０．３０センチメートル）の長さを有する第２の部分であって、前記第１の部分および前記第２の部分は異なる直径を有しており、前記第１の部分および前記第２の部分の両方は、リブ付きのテーパ状弾性ソケットに同時に嵌合する、第２の部分と、
多孔性フィルタと、を含む、液体処理の使用のための血清ピペット。
【請求項１７】
前記取り付け部が前記リブ付きのテーパ状弾性ソケットに挿入されたとき、前記リブ付きのテーパ状弾性ソケットに、２または２より多いリブ位置で同時に係合する、請求項１６に記載の血清ピペット。
【請求項１８】
前記第１の部分および前記第２の部分は、実質的に円形の断面を有する、請求項１６に記載の血清ピペット。
【請求項１９】
先端部と、
多孔性フィルタを持つ取り付け部と、
目盛マークを示す不変容積を持つ管状シャフトであって、前記管状シャフトは前記先端部と前記取り付け部とを接続する、管状シャフトと、を備え、
前記管状シャフト、前記取り付け部および前記先端部は、プラスチック樹脂を含み、
前記取り付け部は、さらに、
第１の部分と、
放射状に配置され且つ長手方向に延在する少なくとも３つのリブを含む第２の部分であって、前記少なくとも３つのリブのサイズおよび前記少なくとも３つのリブと前記第１の部分との間の距離は、１１±５度の角度を有するコーンに内接するように寸法設定されており、前記第１の部分および前記第２の部分は、ピペットホルダに同時に嵌合する、第２の部分と、を含む、液体処理の使用のための血清ピペット。
【請求項２０】
前記第１の部分または前記第２の部分は、前記先端部から反対側の上端を有する、請求項１９に記載の血清ピペット。
【発明の詳細な説明】
【技術分野】
【０００１】
［背景技術］
［関連出願への相互参照］
本願は、２０１６年５月５日に出願された米国非仮特許出願第１５／１４７，７２８号および２０１５年９月３日に出願された米国仮特許出願第６２／２１４，００５号に基づく優先権を主張し、これら両出願は、本明細書にそれらの全体が参照により援用される。
【０００２】
本発明は、液体処理、特に、低挿入力および低ぐらつき性のピペットに関する。
【図面の簡単な説明】
【０００３】
本発明に係る上記特徴および利点並びに他の特徴および利点は、添付図面中に示す以下のより具体的な各種例示的な実施形態の説明から明らかとなるであろう。添付図面中、同様の参照符号は、一般的に同一の構成要素、機能的に類似するおよび／または構造的に類似する要素を示す。参照符号の最初の数字は、その要素を最初に表示する図面を示している。
【０００４】
【図１】例示のピペットおよびピペットホルダを示す。
【０００５】
【図２】ピペットがピペットホルダに高挿入力で挿入されている、例示のピペットおよびピペットホルダを示す。
【０００６】
【図３】既存のピペット設計の典型的な偏角を示す。
【０００７】
【図４】本発明の一実施形態における、例示のピペットコントローラ並びに低挿入力および低ぐらつき性のピペットを示す。
【０００８】
【図５】本発明の一実施形態における、低挿入力および低ぐらつき性のピペットがピペットホルダに挿入されている、例示のピペットホルダを示す。
【０００９】
【図６】本発明の一実施形態において実現された、偏角の低減を示す。
【００１０】
【図７】市販のピペットコントローラへの挿入力をそれぞれ重量ポンドで測定した場合のノミナルピペット角度からの傾斜量をグラフ化したものである。
【００１１】
【図８】６つの市販のピペットコントローラにおいて、０．５インチ（１．２７センチメートル）以下の傾斜を達成するために必要な挿入力をグラフ化したものである。
【００１２】
【図９Ａ】本発明の一実施形態における、低ぐらつき性ピペットを示す。
【００１３】
【図９Ｂ】本発明の一実施形態における、低ぐらつき性ピペットの断面図を示す。
【００１４】
【図１０Ａ】本発明の一実施形態における、低ぐらつき性ピペットの特徴を示す。
【図１０Ｂ】本発明の一実施形態における、低ぐらつき性ピペットの特徴を示す。
【図１０Ｃ】本発明の一実施形態における、低ぐらつき性ピペットの特徴を示す。
【００１５】
【図１１Ａ】本発明の一実施形態における、１ｍｌの低ぐらつき性ピペットを示す。
【図１１Ｂ】本発明の一実施形態における、１ｍｌの低ぐらつき性ピペットを示す。
【図１１Ｃ】本発明の一実施形態における、１ｍｌの低ぐらつき性ピペットを示す。
【００１６】
【図１２Ａ】本発明の一実施形態における、１ｍｌの低ぐらつき性ピペットの追加の詳細を示す。
【図１２Ｂ】本発明の一実施形態における、１ｍｌの低ぐらつき性ピペットの追加の詳細を示す。
【００１７】
【図１３Ａ】本発明の一実施形態における、２ｍｌの低ぐらつき性ピペットを示す。
【図１３Ｂ】本発明の一実施形態における、２ｍｌの低ぐらつき性ピペットを示す。
【図１３Ｃ】本発明の一実施形態における、２ｍｌの低ぐらつき性ピペットを示す。
【００１８】
【図１４Ａ】本発明の一実施形態における、２ｍｌの低ぐらつき性ピペットの追加の詳細を示す。
【図１４Ｂ】本発明の一実施形態における、２ｍｌの低ぐらつき性ピペットの追加の詳細を示す。
【００１９】
【図１５Ａ】本発明の一実施形態における、５ｍｌの低ぐらつき性ピペットを示す。
【図１５Ｂ】本発明の一実施形態における、５ｍｌの低ぐらつき性ピペットを示す。
【図１５Ｃ】本発明の一実施形態における、５ｍｌの低ぐらつき性ピペットを示す。
【００２０】
【図１６Ａ】本発明の一実施形態における、５ｍｌの低ぐらつき性ピペットの追加の詳細を示す。
【図１６Ｂ】本発明の一実施形態における、５ｍｌの低ぐらつき性ピペットの追加の詳細を示す。
【００２１】
【図１７Ａ】本発明の一実施形態における、１０ｍｌの低ぐらつき性ピペットを示す。
【図１７Ｂ】本発明の一実施形態における、１０ｍｌの低ぐらつき性ピペットを示す。
【図１７Ｃ】本発明の一実施形態における、１０ｍｌの低ぐらつき性ピペットを示す。
【００２２】
【図１８Ａ】本発明の一実施形態における、１０ｍｌの低ぐらつき性ピペットの追加の詳細を示す。
【図１８Ｂ】本発明の一実施形態における、１０ｍｌの低ぐらつき性ピペットの追加の詳細を示す。
【００２３】
【図１９Ａ】本発明の一実施形態における、２５ｍｌの低ぐらつき性ピペットを示す。
【図１９Ｂ】本発明の一実施形態における、２５ｍｌの低ぐらつき性ピペットを示す。
【図１９Ｃ】本発明の一実施形態における、２５ｍｌの低ぐらつき性ピペットを示す。
【００２４】
【図２０Ａ】本発明の一実施形態における、２５ｍｌの低ぐらつき性ピペットの追加の詳細を示す。
【図２０Ｂ】本発明の一実施形態における、２５ｍｌの低ぐらつき性ピペットの追加の詳細を示す。
【００２５】
【図２１Ａ】本発明の一実施形態における、５０ｍｌの低ぐらつき性ピペットを示す。
【図２１Ｂ】本発明の一実施形態における、５０ｍｌの低ぐらつき性ピペットを示す。
【図２１Ｃ】本発明の一実施形態における、５０ｍｌの低ぐらつき性ピペットを示す。
【００２６】
【図２２Ａ】本発明の一実施形態における、５０ｍｌの低ぐらつき性ピペットの追加の詳細を示す。
【図２２Ｂ】本発明の一実施形態における、５０ｍｌの低ぐらつき性ピペットの追加の詳細を示す。
【００２７】
【図２３Ａ】本発明の一実施形態における、低ぐらつき性ピペット設計のリブ付きの実施形態を示す。
【図２３Ｂ】本発明の一実施形態における、低ぐらつき性ピペット設計のリブ付きの実施形態を示す。
【図２３Ｃ】本発明の一実施形態における、低ぐらつき性ピペット設計のリブ付きの実施形態を示す。
【００２８】
【図２４Ａ】本発明の一実施形態における、低ぐらつき性ピペット設計の球付きの実施形態を示す。
【図２４Ｂ】本発明の一実施形態における、低ぐらつき性ピペット設計の球付きの実施形態を示す。
【図２４Ｃ】本発明の一実施形態における、低ぐらつき性ピペット設計の球付きの実施形態を示す。
【図２４Ｄ】本発明の一実施形態における、低ぐらつき性ピペット設計の球付きの実施形態を示す。
【００２９】
【図２５Ａ】本発明の一実施形態における、低ぐらつき性ピペットのテーパ状の実施形態を示す。
【図２５Ｂ】本発明の一実施形態における、低ぐらつき性ピペット設計のテーパ状の実施形態を示す。
【図２５Ｃ】本発明の一実施形態における、低ぐらつき性ピペット設計のテーパ状の実施形態を示す。
【発明を実施するための形態】
【００３０】
以下に、本発明のいくつかの実施形態について詳しく説明する。実施形態の説明にあたっては、わかりやすくするために、特定の専門用語を用いている。しかしながら、本発明をこのように選択された特定の専門用語に限定する意図はない。他の均等のコンポーネントを用いることができること、および本発明の広範な概念から逸脱することなく、他の方法が開発されてよいことは、当業者の認識するところであろう。
【００３１】
本明細書で引用するすべての刊行物は、本明細書にそれらの全体が参照により援用される。 
【００３２】
本明細書で使用する用語「ａ（１つ）」は、１または複数を指す。「ｉｎｃｌｕｄｉｎｇ（含む）」、「ｆｏｒ  ｅｘａｍｐｌｅ（例えば）」、「ｓｕｃｈ  ａｓ（等）」、「ｅ．ｇ．（例えば）」、「であってよい（ｍａｙ  ｂｅ）」等の用語は、列挙された例示項目に限定するのではなく、それらを含むことを意味する。
【００３３】
血清ピペットは、例えば、創薬、環境テストおよび診断テスト等を行う実験室において、液体処理の用途で広く用いられている。これらのピペットは、様々な直径および長さ（例えば、１４インチ（３５．５６センチメートル）長）のガラス製またはプラスチック製のストローとして表現できよう。ピペットは通常、印字された目盛りを有しており、目盛りは、例えば、１ｍｌから１００ｍｌの容量の範囲であってよい。従来、口でまたはゴム球で、ピペットの上端に吸引力を加えて、液体をピペットに引き入れる。液体を目盛り線まで吸引することで測定し、その後、吸引力をなくすことで、液体は分注される。二次汚染を回避するために、通常、ピペットは毎回使用後に破棄される。現在の慣行では、通常、液体を汲み上げおよび排出すべく、血清ピペット内の圧力を操作するための小さな電池式空気ポンプおよびトリガタイプの空気弁を使用可能なピペットコントローラを用いている。市販のピペットコントローラとしては、例えば、ＢｒａｎｄＴｅｃｈ（登録商標）ａｃｃｕ−ｊｅｔ（登録商標）Ｐｒｏ、Ｄｒｕｍｍｏｎｄ  ＸＰ２、Ｉｎｔｅｇｒａ  ＰｉｐｅｔＢｏｙ２、Ｄｒｕｍｍｏｎｄ  Ｐｉｐｅｔ−Ａｉｄ（登録商標）、Ｈｅａｔｈｒｏｗ  Ｓｃｉｅｎｔｉｆｉｃ（登録商標）ＲＦ３０００（登録商標）およびＳａｒｔｏｒｉｕｓ  Ｂｉｏｈｉｔ  ＸＬが含まれてよい。
【００３４】
一般に、市販の使い捨て血清ピペットは、ＡＳＴＭ  Ｄｅｓｉｇｎａｔｉｏｎ  Ｅ９３４‐９４（２０１５年再承認）の仕様に準拠して作成されている。この仕様には、他のパラメータの中でも特に、０．５ｍｌ〜５０ｍｌの容積容量を持つ血清ピペットに対し許容可能な外形寸法が記載されている。この仕様によると、血清ピペットの上端の外径は、０．１７７〜０．３５インチ（４．５〜９ｍｍ）の範囲で変わり得る。この範囲の直径に対し、気密シーリングを提供するために、市販のピペットコントローラは通常、リブ付きのテーパ状弾性コーンを採用しており、当該コーンに血清ピペットが挿入される。より小さい直径のピペットは、コーンの狭い方の端部でシーリングし、より大きいピペットは、より直径の大きい反対側の端部の方でシーリングする。ピペットが挿入されると、コーンは僅かに引き伸ばされて、理想的に気密シーリングを形成し、機械的にピペットを保持することになる。
【００３５】
現在の最先端技術には、多数の問題が存在する。例えば、良好なシーリングを保証すべく、ユーザは、ピペットをピペットコントローラに挿入するときに、かなりの大きさの力を用いることが必要とされており、とりわけ、より大型サイズのピペットの場合、そうである。ピペットを用いて行う作業の性質により、多くのユーザは、一日に数十回以上ピペットを挿入することになる。このような繰り返しの作業が、実験室の作業員に頻繁にみられるような反復運動損傷の可能性を高める。別の問題としては、血清ピペットがピペットコントローラ内にしっかり保持されておらず、ピペットコントローラを動かしたとき、血清ピペットがぐらつく可能性があるというものである。ユーザは頻繁に、アリコートを血清ピペットから多数の小さなウェルまたは容器に分注するので、このことは、問題である。ほんのわずかのピペットのぐらつきであっても、ピペットをウェルと整列させることが、より困難となる。さらに悪いことには、ピペットコントローラを動かしたとき、ぐらつきによって瞬時にシーリングを破壊する可能性がある。シーリングの破壊により、流体の一液滴または複数の液滴がピペットから分注される結果となり得、当該液滴が、間違ったウェルに落ち、実験またはテストを台無しにすることがある。シーリングの問題およびぐらつき性の問題の両方により、ユーザが、ピペットを安定させようと試み、よりいっそう強い力で、血清ピペットをピペットコントローラに押し込むことを余儀なくされている。これは、潜在的な反復ストレス損傷を悪化させ、さらに、円錐状シールをより早期に摩耗させる。
【００３６】
従って、血清ピペットを市販のピペットコントローラに挿入およびシーリングするために必要な力を実質的に低減すること、並びに、さらに血清ピペットのピペットコントローラ内でのぐらつきまたは偏角を低減することが、本発明の目的である。
【００３７】
図１は、ピペットコントローラのピペットホルダ部の例を示す。ピペットホルダ１００は、血清ピペット１１０が挿入されると僅かに伸展されてよい、リブ付きのテーパ状弾性ソケットまたはコーン１２０を含む。テーパ状弾性コーン１２０は、ピペットホルダが、様々な直径のピペットをシーリングすることを可能にする。弾性コーン１２０は、ピペット１１０を所定の位置で保持するように設計されたリブ１３０等の一連のリブを有してよい。弾性コーン１２０、および特に単一のリブ１３０が、ピペット１１０との気密シーリングを形成してよく、ピペット１１０を所定の位置で機械的に保持してよい。図１に示す通り、リブ１３０は、ピペット１１０を所定の位置で保持するための単一の位置を提供してよく、ピペット１１０は、図示のようなエアギャップ１４０によって、弾性コーン１２０の他のリブと接触しない。ピペット１１０を破棄する際、操作者は、手動でピペット１１０を把持し、ピペット１１０を弾性コーン１２０から除去するために物理的圧力を加える必要がある。
【００３８】
ピペットコントローラ保持部１００には、血清ピペット１１０を保持およびシーリングする際に、いくつかの問題がつきまとう。例えば、血清ピペットに対する良好なシーリングおよび堅固な機械的保持性を確保すべく、操作者は、ピペット１１０を弾性コーン１２０に挿入するために、かなりの大きさの力を加える必要がある。弾性コーン１２０の単一のリブ（例えば、リブ１３０）とピペット１１０とによる接触部のリングによって形成されるレバーアームは非常に小さいので、かかる接続の機械的剛性は非常に低く、ピペット１１０の先端のぐらつきにつながる。例えば、ピペットは通常長い（例えば、１４インチ（３５．５６センチメートル））ので、ピペット１１０の先端が不安定であると、操作者が正確なピペット操作を行うことは、非常に困難または不可能となる可能性がある。
【００３９】
図２は、さらに多くのリブ特徴部と係合させ且つレバーアームを増大させるべく、ピペット１１０を弾性コーン１２０により深く押し込むことで、ピペット先端部のぐらつき性の問題を最小化させようと試みる、標準的な技術を示す。リブの内径は漸次小さくなるので、ピペット１１０を弾性コーン１２０にさらに挿入するためには、漸次より多くの力が必要とされる。従って、より安定したピペットを提供するために、過剰な大きさの力（例えば、１０ポンド（４．５３キログラム）より大きい）が、必要とされ得る。ピペット１１０を弾性コーン１２０から引き抜くために、ピペット操作者に対応するかなりの大きさの力を再度必要とする。これらの大きな力が、実験室の技術者または他のピペット操作者に対し、反復的なストレス損傷（例えば、手根管）をもたらし得る。さらに、多くの血清ピペット１１０は、脆性材料（例えば、ポリスチレン、ガラス等）で形成されており、操作者が、血清ピペット１１０を弾性コーン１２０に押し込む、または引き抜くことを試みるとき、破損する可能性がある。かかる破損は、破損したピペットによる裂傷、ピペット内の腐食剤若しくは伝染性物質またはそれらの両方に起因し、ピペット操作者にとって危険となる可能性がある。また、弾性コーン１２０は、その使用中に受ける高偏向および摩耗力に起因する、多くの摩耗に遭遇し、定期的な交換がコスト高である。従って、必要なものは、低挿入力の、低ぐらつき性ピペットである。
【００４０】
図３は、既存の設計で生じる典型的な偏角の大きさを示す。標準的な血清ピペット１１０が、ホルダ１００を備えた標準的なピペットコントローラ４００に取り付けられた場合、当該血清ピペット１１０は、低ねじり剛性を有し、つまり、ピペットは使用中に、傾斜および揺れる（例えば、ぐらつく）可能性があることを意味する。図３は、既存のピペット設計の少なくとも３°〜５°の範囲内の典型的な偏角を示す。高精度なピペット操作に対しては、３°または３°より大きい偏角は不安定過ぎる可能性がある。偏角は、ピペットのぐらつき性をもたらし得る。ピペットのぐらつき性は、正確なピペット制御の欠如および流体の１または複数の液滴をピペットからうっかり分注させるといった、上記の問題につながる可能性がある。
【００４１】
図４は、本発明の一実施形態における、例示のピペットコントローラ４００および例示の低挿入力および低ぐらつき性のピペット４１０を示す。低ぐらつき性ピペット４１０の取り付け部４２０が、標準的なピペット１１０よりも、より低挿入力でピペットコントローラ４００の標準的なピペットホルダ１００に挿入されてよく、当該取り付け部４２０のぐらつき性は、より低くてよい。低ぐらつき性ピペット４１０は、例えば、取り付け部４２０、管状シャフト４３０、および円錐状先端部（図９Ａの先端９１０を参照）を含んでよい。低ぐらつき性ピペット４１０は、特別に設計された取り付け部４２０を備えた、液体処理のための目盛付き血清ピペットであってよい。シャフト４３０は、管状シャフト上に目盛りマークを示す、不変容積を有してよい。取り付け部４２０は、ピペット４１０をコントローラ４００内のピペットホルダ１００に取り着けるよう構成されている。ピペットホルダ１００は、例えば、リブ付きのテーパ状弾性ソケット１２０を含んでよい。取り付け部４２０が、弾性ソケット１２０に挿入されると、取り付け部４２０は、弾性ソケット１２０に、２または２より多いリブ位置で同時に係合してよい。
【００４２】
一実施形態において、ピペット４１０は、２または２より多い段差のある管状部を含む取り付け部４２０を備えて構成されてよく、当該管状部は、多くのピペットコントローラの業界標準のソケットである弾性コーン１２０内の２または２より多い弾性シーリングリブに同時に係合するように設計されている。ソケットに、２または２より多い箇所で同時に係合することによって、大きなレバーアームが形成されてよく、その結果、ユーザに対し、特に先端部（図９Ａの先端部９１０を参照）がぐらつくピペットをもたらし得るカンチレバー力に対しより良く耐えることができる、より高剛性の接続を形成することとなる。このようなより高剛性の接続が、従来のピペット（例えば、ピペット１１０）に典型的なものよりも、より低挿入力で達成されてよい。
【００４３】
図５は、本発明の一実施形態における、低挿入力（例えば、３重量ポンド（１．３６重量キログラム）未満）および低ぐらつき性をもたらすように設計された、低ぐらつき性ピペット４１０を示す。図５中、ピペットホルダ１００は、例えば、ピペットを収容するために僅かに伸展してよい、標準的なリブ付きテーパ状弾性コーン１２０を含む。弾性コーン１２０は、多くのピペットコントローラにとっての業界標準のソケットを含んでよい。取り付け部４２０は、異なる直径を有する、２または２より多い段差のある管状部、または実質的に円柱状の表面を含んでよい。部分５１０（例えば、上部）および部分５２０（例えば、下部）は、取り付け部４２０の例示的な段部を示す。この例において、断部５１０は、断部５２０より小さい直径を有する。立ち上がり部５３０が、断部５１０および断部５２０を分離する。取り付け部４２０の断部５１０および断部５２０は、弾性コーン１２０内の弾性シーリングリブのうち２または２より多いものと同時に係合するように設計されている。例えば、図５中、リブ５４０は断部５１０と係合し、リブ５５０は断部５２０と係合する。ソケットに、２または２より多い箇所で同時に係合することによって、より大きな有効レバーアームが形成されてよく、その結果、ピペットユーザに対し、ピペット４１０の先端が不安定なまたはぐらつくピペットをもたらすことになり得るカンチレバー力により耐えることができる、より高剛性の接続を形成する。このようなより高剛性の接続が、従来のピペットに典型的な挿入力より、より低挿入力で達成されてよく、ピペット４１０は、低挿入力で、シーリングリブ５４０および５５０に接続されつつ、ピペット４１０と弾性コーン１２０との間の気密シーリングを維持してよい。
【００４４】
ピペット４１０は、市場で入手可能な様々なピペットコントローラと共に動作できる、低挿入力の、低ぐらつき性ピペットを提供してよい。ピペット４１０は、ピペットホルダ１００の円錐状弾性ソケット（例えば、弾性コーン１２０）内の複数のリブと同時に係合してよい。例えば、ピペットの上部の外径より僅かに小さい内径を持つ、弾性コーン１２０の弾性リブと係合するためには、比較的小さい力（例えば、典型的なピペットより、小さい力である３．０重量ポンド（１．３６重量キログラム）未満）が必要とされる。ピペット４１０の段差のある管状の上部の特徴部が、弾性コーン１２０のリブのうち２（例えば、シーリングリブ５４０および５５０）または２より多いものと同時に係合して、従来のピペット１１０のしっかりした挿入に必要とされる力より、はるかに小さい力ではるかに大きなレバーアームを形成してよい。このより大きなレバーアームは、ピペット４１０が、ほとんどぐらつき性を示さないことを意味し、その結果、ピペット４１０の側面荷重時に、偏角がほとんどない。
【００４５】
図６は、本発明の一実施形態により実現された、偏角の低減を示す。低ぐらつき性ピペット４１０は、より高いねじり剛性を有し、つまり、より動きの少ない（例えば、より低ぐらつき性）およびピペット操作のより高い制御性を意味する。図６中に示される実施形態において、最大偏角１°が達成されてよい。これにより、典型的なピペットと比較した場合、ピペット４１０の操作者に、制御面での顕著な改善をもたらし、高精度のピペット操作を可能にする。また、偏角の低減により、ピペット４１０からのうっかりした漏れを低減する。ピペット４１０を挿入するために、より小さな力を要するので、弾性コーン１２０のソケットからピペット４１０を除去するために必要な力は、より小さい。典型的な挿入力および引抜力のこのような低減は、ピペット４１０の破損リスクを大幅に低減し、反復的なストレス損傷を軽減し、且つ、ピペットホルダ１００内の弾性コーン１２０の摩耗を低減する。
【００４６】
図７は、典型的なピペットコントローラへの挿入力をそれぞれ重量ポンドで測定した場合のノミナルピペット角度からの傾斜量をグラフ化したものである。図７中、ノミナルピペット角度からの傾斜量またはぐらつき量は、６つの市販のコントローラ４００を用い、標準的なピペット１１０および低ぐらつき性ピペット４１０を使用して、ピペットホルダ１００への挿入力をそれぞれ重量ポンドで測定した。テストで示す通り、低ぐらつき性ピペット４１０を用いて、３．０重量ポンド（１．３６重量キログラム）のピペット挿入力で、最小のぐらつき性が達成された（９５％の女性にとって、繰り返しが許容できる力の範囲内に十分収まっている）。３．０重量ポンド（１．３６重量キログラム）では、標準的なピペット１１０は、平均で５倍を超える傾斜またはぐらつきを有する。また、標準的なピペット１１０は、たとえ力の増大を用いても、低ぐらつき性ピペット４１０の最小ぐらつきレベルに到達できない可能性がある。従って、例えば、低ぐらつき性ピペット４１０は、典型的なピペットコントローラ４００に、３．０重量ポンド（１．３６重量キログラム）未満で挿入されてよく、ノミナル値からの０．４インチ（１．０１センチメートル）未満のピペットの傾斜を達成してよい。
【００４７】
また、図７に示す通り、低ぐらつき性ピペット４１０は、繰り返しの使用中、標準的なピペット１１０よりも、所与の挿入力に対する、傾斜またはぐらつきの大きさにおいて、より大きな一貫性の度合いをもたらす。図７中、線で示す縦領域で示す通り、標準ピペット（例えば、ピペット１１０）を用いる場合、同一の大きさの挿入力に対し、傾斜またはぐらつきは、ピペットコントローラ４００間でかなり変動する可能性がある。
【００４８】
図８は、６つの市販のピペットコントローラにおいて、０．５インチ（１．２７センチメートル）以下の傾斜を達成するために必要な挿入力をグラフ化したものである。図８中、水平線からの０．５インチ（１．２７センチメートル）以下の傾斜またはぐらつきを達成するために必要な挿入力が、標準的なピペット１１０および低ぐらつき性ピペット４１０を様々なピペットコントローラと共に用いて判定された。各コントローラを用いた場合の標準的なピペット１１０の力を１００％に設定し、低ぐらつき性ピペット４１０の力の相対的割合を判定した。テストしたすべてのコントローラについて、低ぐらつき性ピペット４１０は、少なくとも０．５インチ（１．２７センチメートル）のピペットの傾斜またはぐらつきを達成するために、最低でも５０％未満の平均的な挿入力を必要とした。
【００４９】
図９Ａは、液体処理のための低ぐらつき性ピペット４１０の一実施形態を示す。低ぐらつき性ピペットは、先端部９１０、取り付け部４２０、管状シャフト４３０、目盛線９２０およびカラーコードバンド９３０を含む。目盛線９２０は０．００７インチ（０．０１センチメートル）以内であり、ピペット本体に対し垂直であってよい。カラーコードバンド９３０は、０．０４インチ（０．１０センチメートル）幅で、バンド間のスペースは０．０８インチ（０．２０センチメートル）であってよく、ピペット４１０の容積容量を識別してよい。一実施形態において、取り付け部４２０の上端から先端部９１０までは、１２．５６インチ（３１．９０センチメートル）であってよく、シャフト４３０から先端部９１０までは、１１．４４インチ（２９．０５センチメートル）であってよい。また、例えば、ピペット４３０は実質的にＡＳＴＭ  Ｅ９３４−９４（２０１５）に準拠してよい。
【００５０】
先端部９１０およびシャフト４３０は、クリアグレードのポリスチレン等のプラスチック樹脂または他の同様の材料から作成されてよい。取り付け部４２０は、透明なグレーに着色されたポリスチレン等のプラスチック樹脂または他の同様の材料でモールド成形されてよい。取り付け部４２０は、少なくとも２つの部分を含んでよい。当該少なくとも２つの部分は、１つの部分の直径または幅が、別の部分の直径または幅と異なるサイズであってよいといった具合に、段差を付けられてよい。当該少なくとも２つの部分は、実質的に円柱状の部分であってよい。例えば、取り付け部４２０は、上部５１０および下部５２０を含んでよい。上部５１０は、開口部を備えた上端部を含んでよい。２つの部分の間（例えば、上部５１０と下部５２０との間）の距離は、１１±５度の角度を有するコーンに内接するように寸法設定されてよい。取り付け部４２０の上部５１０および下部５２０は、０．１２〜０．３６インチ（０．３０〜０．９１センチメートル）の範囲内の直径で測定されてよい。上部５１０および下部５２０は、異なる直径を有する。特に、上部５１０は、０．１２〜０．２５インチ（０．３０〜０．６３センチメートル）の範囲内の直径、および０．２〜１．５インチ（０．５０〜３．８１センチメートル）の範囲内の長さを有してよい。下部５２０は、０．２５〜０．３６インチ（０．６３〜０．９１センチメートル）の範囲内の直径、および少なくとも０．１２インチ（０．３０センチメートル）の長さを有してよい。また、例えば、上部５１０および下部５２０は、モールド成形ドラフト角度に適応すべく、０．１から５．０度のテーパを有してよい。上部５１０および下部５２０は、円錐状シールの２または２より多いシーリングリングに嵌合するようにサイズ設定されてよく、ピペット４１０の側部の偏向を低減するように設計されてよい。上部は、下部より小さくてよい。
【００５１】
図９Ｂは、一実施形態における図９Ａのピペット４１０のＡ‐Ａ断面図を示し、取り付け部４２０および先端部９１０は、シャフト４３０の対向する端部において、シャフト４３０に溶接されて、または他の方法で接合されてよい。さらに、取り付け部４２０は、溶接部９６０において、シャフト４３０に接続されてよい。一実施形態において、取り付け部４２０が、ピペット４１０から取れる場合、少なくとも８０％の確率で、破損は、溶接部９６０ではなく、取り付け部４２０またはシャフト４３０において生じるように、溶接部９６０は十分な強度である。取り付け部４２０は、フィルタ９５０を含んでよい。フィルタ９５０は、低密度ポリプロピレンまたは他の同様の材料で構築されたフィルタ等の多孔性フィルタであってよく、フィルタ９５０は、ショルダ部までの外径が３ｍｍであってよい。
【００５２】
図１０Ａは、本発明の一実施形態の例示の取り付け部４２０を示す。
【００５３】
図１０Ｂは、図１０Ａに示す例示の取り付け部４２０のＢ‐Ｂ断面図を示す。図１０Ｂに示す実施形態において、取り付け部４２０は、シャフト４３０から、取り付け部４２０のもう一方の端部までの長さが１．１２５インチ（２．８５センチメートル）であってよい。取り付け部４２０の部分５１０は、０．２３２インチ（０．５８センチメートル）幅であってよく、部分５２０は、０．３３インチ（０．８３センチメートル）幅で、０．６２５インチ（１．５８センチメートル）長であってよい。
【００５４】
図１０Ｃは、図１０Ａに示す例示の取り付け部４２０のさらなる詳細を示す。図１０Ｃに示す実施形態において、部分５１０は、半径０．０２の丸みを帯びたエッジを有する立ち上がり部５３０によって、部分５２０と分離されてよい。シャフト４３０から反対側の、取り付け部４２０の端部１０１０は、半径０．０２の丸みを帯びたエッジを有してよい。
【００５５】
図１１Ａは、本発明の一実施形態における１ｍｌの低ぐらつき性ピペットの正面図を示す。
【００５６】
図１１Ｂは、本発明の一実施形態における、１ｍｌの低ぐらつき性ピペットの正面斜視図を示す。
【００５７】
図１１Ｃは、本発明の一実施形態における１ｍｌの低ぐらつき性ピペットの平面図を示す。
【００５８】
図１２Ａは、本発明の一実施形態における、図１１Ａ〜１１Ｃに示す、１ｍｌの低ぐらつき性ピペットの追加の詳細を示す。図１２Ａ中、取り付け部４２０は、直径０．１７８インチ（０．４５センチメートル）および長さ０．６１２インチ（１．５５センチメートル）の部分５１０および直径０．２７６インチ（０．７０センチメートル）の部分５２０を含む。この実施形態において、下部５２０は、シャフト４３０に接合された別個の管状部品であってよく、上部５１０は、シャフト４３０の延長で形成される。
【００５９】
図１２Ｂは、図１２ＡのＡ‐Ａ断面図を示す。図１２Ｂは、９．２度のテーパ角を有する円錐面に内接する部分５１０および部分５２０を示す。
【００６０】
図１３Ａは、本発明の一実施形態における、２ｍｌの低ぐらつき性ピペットの正面図を示す。
【００６１】
図１３Ｂは、本発明の一実施形態における、２ｍｌの低ぐらつき性ピペットの正面斜視図を示す。
【００６２】
図１３Ｃは、本発明の一実施形態における、２ｍｌの低ぐらつき性ピペットの平面図を示す。
【００６３】
図１４Ａは、本発明の一実施形態における、図１３Ａ〜１３Ｃに示す２ｍｌの低ぐらつき性ピペットの追加の詳細を示す。図１４Ａ中、取り付け部４２０は、直径０．２５３インチ（０．６４センチメートル）および長さ０．３８２インチ（０．９７センチメートル）の部分５１０および直径０．３２５インチ（０．８２センチメートル）の部分５２０を含む。この実施形態において、下部５２０は、シャフト４３０に接合された別個の管状部品であってよく、上部５１０は、シャフト４３０の延長で形成される。
【００６４】
図１４Ｂは、図１４ＡのＢ‐Ｂ断面図を示す。図１４Ｂは、１１．０度のテーパ角を有する円錐面に内接する部分５１０および部分５２０を示す。
【００６５】
図１５Ａは、本発明の一実施形態における、５ｍｌの低ぐらつき性ピペットの正面図を示す。
【００６６】
図１５Ｂは、本発明の一実施形態における、５ｍｌの低ぐらつき性ピペットの正面斜視図を示す。
【００６７】
図１５Ｃは、本発明の一実施形態における、５ｍｌの低ぐらつき性ピペットの平面図を示す。
【００６８】
図１６Ａは、本発明の一実施形態における、図１５Ａ〜１５Ｃに示す５ｍｌの低ぐらつき性ピペットの追加の詳細を示す。図１６Ａ中、取り付け部４２０は、直径０．２３３インチ（０．５９センチメートル）および長さ０．３８３インチ（０．９７センチメートル）の部分５１０および直径０．３０６インチ（０．７７センチメートル）の部分５２０を含む。
【００６９】
図１６Ｂは、図１６ＡのＣ‐Ｃ断面図を示す。図１６Ｂは、１１．５度のテーパ角を有する円錐面に内接する部分５１０および部分５２０を示す。
【００７０】
図１７Ａは、本発明の一実施形態における、１０ｍｌの低ぐらつき性ピペットの正面図を示す。
【００７１】
図１７Ｂは、本発明の一実施形態における、１０ｍｌの低ぐらつき性ピペットの正面斜視図を示す。
【００７２】
図１７Ｃは、本発明の一実施形態における、１０ｍｌの低ぐらつき性ピペットの平面図を示す。
【００７３】
図１８Ａは、本発明の一実施形態における、図１７Ａ〜１７Ｃに示す１０ｍｌの低ぐらつき性ピペットの追加の詳細を示す。図１８Ａ中、取り付け部４２０は、直径０．２３２インチ（０．５８センチメートル）および長さ０．５０９インチ（１．２９センチメートル）の部分５１０および直径０．３３０インチ（０．８３センチメートル）の部分５２０を含む。
【００７４】
図１８Ｂは、図１８ＡのＤ‐Ｄ断面図を示す。図１８Ｂは、１１．４度のテーパ角を有する円錐面に内接する部分５１０および部分５２０を示す。
【００７５】
図１９Ａは、本発明の一実施形態における、２５ｍｌの低ぐらつき性ピペットの正面図を示す。
【００７６】
図１９Ｂは、本発明の一実施形態における、２５ｍｌの低ぐらつき性ピペットの正面斜視図を示す。
【００７７】
図１９Ｃは、本発明の一実施形態における、２５ｍｌの低ぐらつき性ピペットの平面図を示す。
【００７８】
図２０Ａは、本発明の一実施形態における、図１９Ａ〜１９Ｃに示す２５ｍｌの低ぐらつき性ピペットの追加の詳細を示す。図２０Ａ中、取り付け部４２０は、直径０．２３２インチ（０．５８センチメートル）および長さ０．５０９インチ（１．２９センチメートル）の部分５１０および直径０．３３０インチ（０．８３センチメートル）の部分５２０を含む。
【００７９】
図２０Ｂは、図２０ＡのＤ‐Ｄ断面図を示す。図２０Ｂは、１１．４度のテーパ角を有する円錐面に内接する部分５１０および部分５２０を示す。
【００８０】
図２１Ａは、本発明の一実施形態における、５０ｍｌの低ぐらつき性ピペットの正面図を示す。
【００８１】
図２１Ｂは、本発明の一実施形態における、５０ｍｌの低ぐらつき性ピペットの正面斜視図を示す。
【００８２】
図２１Ｃは、本発明の一実施形態における、５０ｍｌの低ぐらつき性ピペットの平面図を示す。
【００８３】
図２２Ａは、本発明の一実施形態における、図２１Ａ〜２１Ｃに示す５０ｍｌの低ぐらつき性ピペットの追加の詳細を示す。図２２Ａ中、取り付け部４２０は、直径０．２３０インチ（０．５８センチメートル）および長さ０．６４１インチ（１．６２センチメートル）の部分５１０および直径０．３５５インチ（０．９０センチメートル）の部分５２０を含む。
【００８４】
図２２Ｂは、図２２ＡのＤ‐Ｄ断面図を示す。図２２Ｂは、１１．５度のテーパ角を有する円錐面に内接する部分５１０および部分５２０を示す。
【００８５】
図２３Ａは、本発明の一実施形態における、リブ付きの低ぐらつき性ピペットの正面図を示す。
【００８６】
図２３Ｂは、本発明の一実施形態における、リブ付きの低ぐらつき性ピペットの正面斜視図を示す。
【００８７】
図２３Ｃは、本発明の一実施形態における、リブ付きの低ぐらつき性ピペットの平面図を示す。
【００８８】
図２３Ａ〜２３Ｃ等の実施形態において、ピペットは、上部および下部を含む取り付け部を有してよい。上部は、先端部から反対側の上端を含んでよい。当該上端は、ピペットがピペットコントローラ４００に挿入されたとき、ピペットホルダ１００内のコーンと気密シーリングを形成してよい。下部は、放射状に配置された、長手方向に延在する少なくとも３つのリブから成る一連のリブを含んでよい。当該リブは、ピペットおよびの安定化およびぐらつきの阻止に寄与してよい。例えば、当該少なくとも３つのリブのサイズ、および当該少なくとも３つのリブと当該上端との間の距離は、６〜１６度の角度を有するコーンに内接するように寸法設定されてよい。この構成は、逆になってもよく、それによっては、ピペットの取り付け部の上部にリブが設けられ、下部が実質的に円柱状で、ピペットコントローラ内の円錐状シールと気密シーリングを形成するように寸法設定される。
【００８９】
図２４Ａは、本発明の一実施形態における、低ぐらつき性ピペットの球付きの実施形態を示す。
【００９０】
図２４Ｂは、図２４Ａの低ぐらつき性ピペットの球付きの実施形態の断面図を示す。
【００９１】
図２４Ｃは、本発明の一実施形態における、図２４Ａ〜２４Ｂに示す、低ぐらつき性ピペットの球付きの実施形態の追加の詳細を示す。図２４Ｃ中、取り付け部４２０は、直径０．１７８インチ（０．４５センチメートル）の部分５１０および直径０．２７６インチ（０．７０センチメートル）の部分５２０を含む。上部５１０および下部５２０は、９．４度のコーンに内接する。
【００９２】
図２４Ｄは、本発明の一実施形態における、低ぐらつき性ピペット設計の球付きの実施形態の斜視図を示す。
【００９３】
図２５Ａは、本発明の一実施形態における、低ぐらつき性ピペット設計のテーパ状の実施形態の斜視図を示す。
【００９４】
図２５Ｂは、本発明の一実施形態における、低ぐらつき性ピペット設計のテーパ状の実施形態の一例を示す。
【００９５】
図２５Ｃは、本発明の一実施形態における、図２５Ａ〜２５Ｂに示す、低ぐらつき性ピペットのテーパ状の実施形態の追加の詳細を示す。図２５Ｃ中、取り付け部４２０は、テーパの最小直径０．２３２インチ（０．５８センチメートル）の部分５１０および直径０．３３６インチ（０．８５センチメートル）の部分５２０を含む。上部５１０および下部５２０は、１１．０度のコーンに内接する。
【００９６】
本発明の様々な実施形態について上記したが、それらは、限定ではなく、専ら例示として示されていることを理解されたい。上記の説明は、本発明の例示の実施形態を対象としているが、当業者には、他の変形例および修正例が明らかであり、本発明の精神または範囲から逸脱することなく、それらをなし得ることに留意されたい。 さらに、本発明の一実施形態に関し記載した特徴は、明示的に上記されていなくても、他の実施形態と関連して用いられてよい。
【図１】
2018532575.tif 000003
【図２】
2018532575.tif 000004
【図３】
2018532575.tif 000005
【図４】
2018532575.tif 000006
【図５】
2018532575.tif 000007
【図６】
2018532575.tif 000008
【図７】
2018532575.tif 000009
【図８】
2018532575.tif 000010
【図９Ａ】
2018532575.tif 000011
【図９Ｂ】
2018532575.tif 000012
【図１０Ａ】
2018532575.tif 000013
【図１０Ｂ】
2018532575.tif 000014
【図１０Ｃ】
2018532575.tif 000015
【図１１Ａ】
2018532575.tif 000016
【図１１Ｂ】
2018532575.tif 000017
【図１１Ｃ】
2018532575.tif 000018
【図１２Ａ】
2018532575.tif 000019
【図１２Ｂ】
2018532575.tif 000020
【図１３Ａ】
2018532575.tif 000021
【図１３Ｂ】
2018532575.tif 000022
【図１３Ｃ】
2018532575.tif 000023
【図１４Ａ】
2018532575.tif 000024
【図１４Ｂ】
2018532575.tif 000025
【図１５Ａ】
2018532575.tif 000026
【図１５Ｂ】
2018532575.tif 000027
【図１５Ｃ】
2018532575.tif 000028
【図１６Ａ】
2018532575.tif 000029
【図１６Ｂ】
2018532575.tif 000030
【図１７Ａ】
2018532575.tif 000031
【図１７Ｂ】
2018532575.tif 000032
【図１７Ｃ】
2018532575.tif 000033
【図１８Ａ】
2018532575.tif 000034
【図１８Ｂ】
2018532575.tif 000035
【図１９Ａ】
2018532575.tif 000036
【図１９Ｂ】
2018532575.tif 000037
【図１９Ｃ】
2018532575.tif 000038
【図２０Ａ】
2018532575.tif 000039
【図２０Ｂ】
2018532575.tif 000040
【図２１Ａ】
2018532575.tif 000041
【図２１Ｂ】
2018532575.tif 000042
【図２１Ｃ】
2018532575.tif 000043
【図２２Ａ】
2018532575.tif 000044
【図２２Ｂ】
2018532575.tif 000045
【図２３Ａ】
2018532575.tif 000046
【図２３Ｂ】
2018532575.tif 000047
【図２３Ｃ】
2018532575.tif 000048
【図２４Ａ】
2018532575.tif 000049
【図２４Ｂ】
2018532575.tif 000050
【図２４Ｃ】
2018532575.tif 000051
【図２４Ｄ】
2018532575.tif 000052
【図２５Ａ】
2018532575.tif 000053
【図２５Ｂ】
2018532575.tif 000054
【図２５Ｃ】
2018532575.tif 000055
【手続補正書】
【提出日】平成30年5月8日(2018.5.8)
【手続補正１】
【補正対象書類名】特許請求の範囲
【補正対象項目名】全文
【補正方法】変更
【補正の内容】
【特許請求の範囲】
【請求項１】
先端部と、  ピペットコントローラホルダに嵌合する取り付け部であって、前記取り付け部は、実質的に円形の断面を持つ少なくとも第１の壁部と第２の壁部とを有し、前記第１の壁部は、前記第２の壁部よりも前記先端部から離れており、前記第１の壁部と前記第２の壁部とは、段部または面取り部によって分離されており、前記取り付け部は多孔性フィルタを含む、取り付け部と、  目盛マークを示す不変容積を持つ管状シャフトであって、前記管状シャフトは、前記先端部と前記取り付け部とを接続し、前記第１の壁部および前記第２の壁部は異なる直径を有し、前記第１の壁部と前記第２の壁部とは、前記段部または前記面取り部によって分離されていることにより、前記第１の壁部および前記第２の壁部は、１１±５度の角度を有するコーンに内接し、前記コーンは前記先端部の反対側の方向に頂点を有する、管状シャフトと、を備える、液体処理の使用のための血清ピペット。
【請求項２】
前記第１の壁部および前記第２の壁部はそれぞれ、直径が０．１２〜０．３６インチ（０．３０〜０．９１センチメートル）の範囲内である、請求項１に記載の血清ピペット。
【請求項３】
前記第１の壁部は、０．１２〜０．２５インチ（０．３０〜０．６３センチメートル）の範囲内の直径を有する、請求項１に記載の血清ピペット。
【請求項４】
前記第２の壁部は、０．２５〜０．３６インチ（０．６３〜０．９１センチメートル）の範囲内の直径を有する、請求項３に記載の血清ピペット。
【請求項５】
前記第１の壁部は、０．２〜１．５インチ（０．５０〜３．８１センチメートル）の範囲内の長さを有する、請求項１から４のいずれか一項に記載の血清ピペット。
【請求項６】
前記第２の壁部は、少なくとも０．１２インチ（０．３０センチメートル）の長さを有する、請求項５に記載の血清ピペット。
【請求項７】
前記第１の壁部および前記第２の壁部は、モールド成形ドラフト角度に適応する０．１〜５．０度のテーパを有する、請求項１から６のいずれか一項に記載の血清ピペット。
【請求項８】
前記取り付け部は、前記管状シャフトに接合される、請求項１から７のいずれか一項に記載の血清ピペット。
【請求項９】
前記第１の壁部および前記第２の壁部は、実質的に円柱状の段部である、請求項１から８のいずれか一項に記載の血清ピペット。
【請求項１０】
先端部と、  ピペットコントローラホルダに嵌合する取り付け部であって、前記取り付け部は実質的に円形の断面を持つ第１の壁部と第２の壁部とを有し、前記第１の壁部は、前記第２の壁部よりも前記先端部から離れており、前記第１の壁部と前記第２の壁部とは、段部または面取り部によって分離されており、前記第１の壁部および前記第２の壁部は異なる直径を有し、前記第１の壁部および前記第２の壁部は０．１２〜０．３６インチ（０．３０〜０．９１センチメートル）の直径の範囲内で且つ０．１２〜１．５インチ（０．３０〜３．８センチメートル）の長さの範囲内である、取り付け部と、  前記先端部と前記取り付け部とを接続する管状シャフトであって、目盛マークを示す不変容積を有する、管状シャフトと、  前記取り付け部に挿入される多孔性フィルタと、を備え、 前記第１の壁部と前記第２の壁部とは、前記段部または前記面取り部によって分離されていることにより、前記第１の壁部および前記第２の壁部は、１１±５度の角度を有するコーンに内接し、前記コーンは前記先端部の反対側の方向に頂点を有する、液体処理の使用のための血清ピペット。
【請求項１１】
前記第１の壁部および前記第２の壁部は、円錐状シールの２または２より多いシーリングリングに嵌合するようにサイズ設定される、請求項１０に記載の血清ピペット。
【請求項１２】
前記第１の壁部および前記第２の壁部は、前記血清ピペットの側部の偏向を低減するようにサイズ設定される、請求項１０または１１に記載の血清ピペット。
【請求項１３】
前記血清ピペットは、３．０重量ポンド（１．３６重量キログラム）未満の挿入力で前記ピペットコントローラホルダに挿入され、１°以下の偏角を達成する、請求項１０から１２のいずれか一項に記載の血清ピペット。
【請求項１４】
先端部と、 取り付け部と、  目盛マークを示す不変容積を持つ管状シャフトであって、前記先端部と前記取り付け部とを接続する、管状シャフトと、を備え、  前記取り付け部は、さらに、    ０．１２〜０．２５インチ（０．３０〜０．６３センチメートル）の範囲内の直径および０．２０〜１．５インチ（０．５０〜３．８１センチメートル）の範囲内の長さを有する第１の壁部と、    ０．２５〜０．３６インチ（０．６３〜０．９１センチメートル）の範囲内の直径および少なくとも０．１２インチ（０．３０センチメートル）の長さを有する第２の壁部であって、前記第１の壁部は、前記第２の壁部よりも前記先端部から離れており、前記第１の壁部および前記第２の壁部は異なる直径を有し、前記第１の壁部と前記第２の壁部とは、段部または面取り部によって分離されており、前記第１の壁部および前記第２の壁部の両方は、リブ付きのテーパ状弾性ソケットに同時に嵌合する、第２の壁部と、    多孔性フィルタと、を含み、  前記第１の壁部と前記第２の壁部とは、前記段部または前記面取り部によって分離されていることにより、前記第１の壁部および前記第２の壁部は、１１±５度の角度を有するコーンに内接し、前記コーンは前記先端部の反対側の方向に頂点を有する、液体処理の使用のための血清ピペット。
【請求項１５】
前記取り付け部が前記リブ付きのテーパ状弾性ソケットに挿入されたとき、前記リブ付きのテーパ状弾性ソケットに、２または２より多いリブ位置で同時に係合する、請求項１４に記載の血清ピペット。
【請求項１６】
前記第１の壁部および前記第２の壁部は、実質的に円形の断面を有する、請求項１４または１５に記載の血清ピペット。
【請求項１７】
先端部と、  多孔性フィルタを持つ取り付け部と、  目盛マークを示す不変容積を持つ管状シャフトであって、前記管状シャフトは前記先端部と前記取り付け部とを接続する、管状シャフトと、を備え、 前記取り付け部は、さらに、 実質的に円形の断面を持つ第１の壁部と、 実質的に円形の断面を持つ第２の壁部であって、前記第２の壁部は、放射状に配置され且つ長手方向に延在する少なくとも３つのリブを有し、前記少なくとも３つのリブの半径方向の高さおよび前記少なくとも３つのリブと前記第１の壁部との間の距離は、前記第１の壁部および前記少なくとも３つのリブが、１１±５度の角度を有するコーンに内接するように寸法設定されており、前記コーンは前記先端部の反対側の方向に頂点を有し、前記第１の壁部および前記第２の壁部は、ピペットホルダに同時に嵌合する、第２の壁部と、を含む、液体処理の使用のための血清ピペット。
【請求項１８】
前記第１の壁部または前記第２の壁部は、前記先端部から反対側の上端を有する、請求項１７に記載の血清ピペット。
【請求項１９】
前記先端部、前記取り付け部および前記管状シャフトは、プラスチック樹脂で形成される、請求項１に記載の血清ピペット。
【請求項２０】
前記先端部、前記取り付け部および前記管状シャフトは、プラスチック樹脂で形成される、請求項１０に記載の血清ピペット。
【請求項２１】
前記先端部、前記取り付け部および前記管状シャフトは、プラスチック樹脂で形成される、請求項１４に記載の血清ピペット。
【請求項２２】
前記先端部、前記取り付け部および前記管状シャフトは、プラスチック樹脂で形成される、請求項１７に記載の血清ピペット。
【請求項２３】
前記プラスチック樹脂は、ポリスチレンである、請求項２１に記載の血清ピペット。
【手続補正２】
【補正対象書類名】明細書
【補正対象項目名】００９６
【補正方法】変更
【補正の内容】
【００９６】  本発明の様々な実施形態について上記したが、それらは、限定ではなく、専ら例示として示されていることを理解されたい。上記の説明は、本発明の例示の実施形態を対象としているが、当業者には、他の変形例および修正例が明らかであり、本発明の精神または範囲から逸脱することなく、それらをなし得ることに留意されたい。 さらに、本発明の一実施形態に関し記載した特徴は、明示的に上記されていなくても、他の実施形態と関連して用いられてよい。（項目１）  先端部と、  ピペットコントローラホルダに嵌合する、少なくとも２つの部分を有する取り付け部であって、上記少なくとも２つの部分は実質的に円形の断面を持ち、上記取り付け部は多孔性フィルタを含む、取り付け部と、  目盛マークを示す不変容積を持つ管状シャフトと、を備え、  上記管状シャフトは、上記先端部と上記取り付け部とを接続し、上記少なくとも２つの部分の第１の部分および上記少なくとも２つの部分の第２の部分は、異なる直径を有し、上記第１の部分と上記第２の部分との間の距離は、１１±５度の角度を有するコーンに内接するように寸法設定され、上記先端部、上記取り付け部および上記管状シャフトは、プラスチック樹脂から形成される、液体処理の使用のための血清ピペット。（項目２）  上記少なくとも２つの部分は、直径が０．１２〜０．３６インチ（０．３０〜０．９１センチメートル）の範囲内である、項目１に記載の血清ピペット。（項目３）  上記第１の部分は、０．１２〜０．２５インチ（０．３０〜０．６３センチメートル）の範囲内の直径を有する、項目１に記載の血清ピペット。（項目４）  上記第２の部分は、０．２５〜０．３６インチ（０．６３〜０．９１センチメートル）の範囲内の直径を有する、項目３に記載の血清ピペット。（項目５）  上記第１の部分は、０．２〜１．５インチ（０．５０〜３．８１センチメートル）の範囲内の長さを有する、項目１に記載の血清ピペット。（項目６）  上記第２の部分は、少なくとも０．１２インチ（０．３０センチメートル）の長さを有する、項目５に記載の血清ピペット。（項目７）  上記少なくとも２つの部分は、モールド成形ドラフト角度に適応する０．１〜５．０度のテーパを有する、項目１に記載の血清ピペット。（項目８）  上記取り付け部は、上記管状シャフトに接合される、項目１に記載の血清ピペット。（項目９）  上記プラスチック樹脂は、ポリスチレンである、項目１に記載の血清ピペット。（項目１０）  上記第１の部分および上記第２の部分は、実質的に円柱状の段部である、項目１に記載の血清ピペット。（項目１１）  先端部と、  ピペットコントローラホルダに嵌合する取り付け部であって、上記取り付け部は実質的に円形の断面を持つ２つの部分を有し、上記２つの部分は異なる直径を有し、上記２つの部分は０．１２〜０．３６インチ（０．３０〜０．９１センチメートル）の直径の範囲内で且つ０．１２〜１．５インチ（０．３０〜３．８センチメートル）の長さの範囲内である、取り付け部と、  上記先端部と上記取り付け部とを接続する管状シャフトであって、目盛マークを示す不変容積を有する、管状シャフトと、  上記取り付け部に挿入される多孔性フィルタと、を備え、  上記先端部、上記���り付け部および上記管状シャフトは、プラスチック樹脂で形成される、液体処理の使用のための血清ピペット。（項目１２）  上記２つの部分の間の距離は、１１±５度の角度を有するコーンに内接するように寸法設定される、項目１１に記載の血清ピペット。（項目１３）  上記２つの部分は、円錐状シールの２または２より多いシーリングリングに嵌合するようにサイズ設定される、項目１１に記載の血清ピペット。（項目１４）  上記２つの部分は、上記血清ピペットの側部の偏向を低減するようにサイズ設定される、項目１１に記載の血清ピペット。（項目１５）  上記血清ピペットは、３．０重量ポンド（１．３６重量キログラム）未満の挿入力で上記ピペットコントローラホルダに挿入され、１°以下の偏角を達成する、項目１１に記載の血清ピペット。（項目１６）  プラスチック樹脂を含む先端部と、  プラスチック樹脂を含む取り付け部と、  目盛マークを示す不変容積を持つ、プラスチック樹脂を含む管状シャフトであって、上記先端部と上記取り付け部とを接続する、管状シャフトと、を備え、  上記取り付け部は、さらに、    ０．１２〜０．２５インチ（０．３０〜０．６３センチメートル）の範囲内の直径および０．２０〜１．５インチ（０．５０〜３．８１センチメートル）の範囲内の長さを有する第１の部分と、    ０．２５インチ〜０．３６インチ（０．６３〜０．９１センチメートル）の範囲内の直径および少なくとも０．１２インチ（０．３０センチメートル）の長さを有する第２の部分であって、上記第１の部分および上記第２の部分は異なる直径を有しており、上記第１の部分および上記第２の部分の両方は、リブ付きのテーパ状弾性ソケットに同時に嵌合する、第２の部分と、    多孔性フィルタと、を含む、液体処理の使用のための血清ピペット。（項目１７）  上記取り付け部が上記リブ付きのテーパ状弾性ソケットに挿入されたとき、上記リブ付きのテーパ状弾性ソケットに、２または２より多いリブ位置で同時に係合する、項目１６に記載の血清ピペット。（項目１８）  上記第１の部分および上記第２の部分は、実質的に円形の断面を有する、項目１６に記載の血清ピペット。（項目１９）  先端部と、  多孔性フィルタを持つ取り付け部と、  目盛マークを示す不変容積を持つ管状シャフトであって、上記管状シャフトは上記先端部と上記取り付け部とを接続する、管状シャフトと、を備え、  上記管状シャフト、上記取り付け部および上記先端部は、プラスチック樹脂を含み、  上記取り付け部は、さらに、    第１の部分と、    放射状に配置され且つ長手方向に延在する少なくとも３つのリブを含む第２の部分であって、上記少なくとも３つのリブのサイズおよび上記少なくとも３つのリブと上記第１の部分との間の距離は、１１±５度の角度を有するコーンに内接するように寸法設定されており、上記第１の部分および上記第２の部分は、ピペットホルダに同時に嵌合する、第２の部分と、を含む、液体処理の使用のための血清ピペット。（項目２０）  上記第１の部分または上記第２の部分は、上記先端部から反対側の上端を有する、項目１９に記載の血清ピペット。
【国際調査報告】
2018532575.tif 000056
2018532575.tif 000057